(57)【要約】【課題】勤務時や外出時(旅行などを含む)でも医師の指示などにより、薬を持参して定時に服薬しなければならない人が多数いる現在、それらの人たちに簡便でスマ−トな携帯用薬容器を提供する。【解決手段】瓢箪形の中空体を縦断方向に２分割し、一方の分割体に、飲料水収容部と薬収容部とを設け、他方の分割体を、薬収容部の開口面を閉塞する開閉蓋とした。薬収容部に、内部を仕切る整理板を設け、中空体の側面に、印刷又は貼付により家紋を付した。外形が瓢箪形であることから持ち易い。薬と飲料水がセットになっているから、いつでも、どこでも必要なときに薬の服用ができる。【選択図】図２
0003110742.tif 000002
【実用新案登録請求の範囲】
【請求項１】
瓢箪形の中空体を縦断方向に２分割し、
一方の分割体に、飲料水収容部と薬収容部とを設け、
他方の分割体を、前記薬収容部の開口面を閉塞する開閉蓋としたことを特徴とする携帯
用薬容器。
【請求項２】
請求項１に記載の携帯用薬容器において、
前記薬収容部に、内部を仕切る整理板を設けたことを特徴とする携帯用薬容器。
【請求項３】
請求項１に記載の携帯用薬容器において、
前記中空体の側面に、印刷又は貼付により家紋を付したことを特徴とする携帯用薬容器
。
【請求項４】
請求項１に記載の携帯用薬容器において、
前記飲料水収容部に、内部を透視できる透明又は半透明の窓を設けたことを特徴とする
携帯用薬容器。
【請求項５】
請求項１に記載の携帯用薬容器において、
前記飲料水収容部の水出し入れ口の栓体として、ボトルキャップをねじ込みにより嵌入
するようにしたことを特徴とする携帯用薬容器。
【請求項６】
請求項１に記載の携帯用薬容器において、
前記折畳式の漏斗を折り畳んだ状態で前記薬収納部内に収納したことを特徴とする携帯
用薬容器。
【考案の詳細な説明】
【技術分野】
【０００１】
本考案は、各種薬剤を持ち歩くのに適する携帯用薬容器に関する。
【背景技術】
【０００２】
病院で処方された薬をもらうと非常に多種類の薬を長期間分(２〜４週間分)投与される
ことが多い。通常それらの薬を、小サイズのケースに入れて管理し、一回分ずつ間違いな
いよう飲み分けられるようにしている（特許文献１）。
【特許文献１】特開平６−２３７９７３号公報
【考案の開示】
【考案が解決しようとする課題】
【０００３】
ところで、上記の技術には、次のような解決すべき課題があった。
小サイズのケースに入れて管理した場合には、勤務時や旅行などの外出時には小分けに
して持参できるが、簡便で適宜な持ち運び方法がなく、紛失したりすることが少なくない
。
本考案は、以上の点に着目してなされたもので、勤務時や外出時(旅行などを含む)でも
医師の指示などにより、薬を持参して定時に服薬しなければならない人が多数いる現在、
それらの人たちに簡便でスマ−トな携帯用薬容器を提供することを目的とする。
【課題を解決するための手段】
【０００４】
本考案の各実施例においては、それぞれ次のような構成により上記の課題を解決する。
〈構成１〉
瓢箪形の中空体を縦断方向に２分割し、一方の分割体に、飲料水収容部と薬収容部とを
設け、他方の分割体を、上記薬収容部の開口面を閉塞する開閉蓋としたことを特徴とする
携帯用薬容器。
【０００５】
外形が瓢箪形であることから持ち易い。薬と飲料水がセットになっているから、いつで
も、どこでも必要なときに薬の服用ができる。
飲料水収容部は飲料水容器であり、薬収容部は薬容器である。
【０００６】
〈構成２〉
構成１に記載の携帯用薬容器において、上記薬収容部に、内部を仕切る整理板を設けた
ことを特徴とする携帯用薬容器。
【０００７】
各種の薬を仕分けして保管できる。
【０００８】
〈構成３〉
構成１に記載の携帯用薬容器において、上記中空体の側面に、印刷又は貼付により家紋
を付したことを特徴とする携帯用薬容器。
【０００９】
知名度の高い家紋や自家家紋を付けることにより、特殊の味わいを持たせたり、自他識
別に利用できる。
【００１０】
〈構成４〉
構成１に記載の携帯用薬容器において、上記飲料水収容部に、内部を透視できる透明又
は半透明の窓を設けたことを特徴とする携帯用薬容器。
【００１１】
水残量を容易に確認できる。
【００１２】
〈構成５〉
構成１に記載の携帯用薬容器において、上記飲料水収容部の水出し入れ口の栓体として
、ボトルキャップをねじ込みにより嵌入するようにしたことを特徴とする携帯用薬容器。
【００１３】
〈構成６〉
構成１に記載の携帯用薬容器において、上記折畳式の漏斗を折り畳んだ状態で上記薬収
納部内に収納したことを特徴とする携帯用薬容器。
【００１４】
この漏斗は、飲料水収容部に飲料水を補充する際に使用するものである。
【考案を実施するための最良の形態】
【００１５】
本考案においては、瓢箪形の中空体の上部と下部に、自在に開閉する蓋状の扉を設け、
各々整理収納できる容器であること、上部と下部の容器に仕切り用整理板を設けることに
より、上部には数種類のカプセル錠、固形及び粉末剤の内服薬を収納し、下部には点眼、
消毒用の液状薬、軟膏状の外用薬、傷手当用の絆創膏などと、その他付随する小物(少量
の包帯など)を整理して収納携帯できる機能を有していること、上部及び下部の蓋体は内
側に貼付されているフェルト生地により接続されており、上部蓋体と下部蓋体の開閉は、
ピンジバックル方式(他の方法でもよい)にて開閉自在であることに特徴がある。
以下、本考案の実施の形態を実施例ごとに詳細に説明する。
【実施例１】
【００１６】
図１は実施例１の携帯用薬容器を示す正面図、図２は使用時の状況を示す斜視図、図３
は同携帯用薬容器の側面図である。
これらの図において、実施例１の携帯用薬容器は、瓢箪形のプラスチック製の中空体（
容器本体）１を縦断方向に２分割し、一方の分割体に、飲料水収容部（飲料水容器）と薬
収容部（薬収納容器）とを設け、他方の分割体を、薬収容部の開口面を閉塞する開閉蓋（
上部蓋体）としたものである。
【００１７】
飲料水収容部と薬収容部（薬収納容器）の上部２Ａ、下部２Ｂは、上部容器部１０Ａと
下部容器部１０Ｃとなっている。また、開閉蓋は上部蓋体１０Ｂと下部蓋体１０Ｄとから
なり、バックル及び留め具８Ａ、８Ｂにより止められている。
【００１８】
下部蓋体１０Ｄの中心に印籠と同様に、代表的で広く知られている知名度の高いと思わ
れる家紋４が印刷又は貼付され、また、容器本体１の中間のくびれ部に、房等を備えた飾
り紐３を巻きつけてもよい。このようにすることにより、大変に味わいのある薬容器とな
る。
【００１９】
飲料水容器は透明あるいは半透明とし水の残量が容易に確認できるものとする。飲料水
容器の飲み口はボトルキャップ５により開閉するようにされている。飲料水用ボトルキャ
ップはネジ式とし捻ることにより開閉自在である。
【００２０】
定時に服薬を必要とする人にとって困ることは外出時に場所によって服薬のための飲料
水が見当たらないことである。
この容器の大きな特徴として瓢箪の裏面半分が飲料水専用の容器としたので、いつでも
、どこでも、必要なときに薬の服用が容易にできる。
当然のことながら、現在大流行のサプリメントも併せて携帯して服用することが可能で
ある。
【００２１】
飲料水補充時にこぼれなどを防ぐための一助として、図４に示す折畳式漏斗９Ａを、折
り畳んだ状態で下部薬容器２Ｂにセットしておく。飲料水を補充するときは、折畳式漏斗
９Ｂを図５に示すように開いた状態にする。
【００２２】
容器本体１の材質についてはプラスチックに限定されるものではなく、任意のものでよ
いが、色については、ベ‐ジュ、茶色、又は濃い朱色が望ましい。
【００２３】
容器本体１の底面又は側面に、マ−ク、社名、あるいは商品名などを焼印、シ−ル又は
塗布などにより施してもよい。
【図面の簡単な説明】
【００２４】
【図１】本考案の携帯用薬容器を示す正面図。
【図２】同携帯用薬容器の使用時の状況を示す斜視図。
【図３】同携帯用薬容器の側面図。
【図４】折畳式漏斗を示す正面図。
【図５】同折畳式漏斗の使用時の説明図。
【符号の説明】
【００２５】
１  容器本体
２Ａ  薬収納容器の上部
２Ｂ  薬収納容器の下部
３  飾り紐
４  家紋
５  ボトルキャップ
６  飲料水ボトル
７Ａ  上部の薬容器整理板
７Ｂ  下部の薬容器整理板
８Ａ  上部のバックル及び留め具
８Ｂ  下部のバックル及び留め具
９Ａ  折り畳んだ漏斗
９Ｂ  使用時の漏斗
１０  フェルト
１０Ａ  上部容器部
１０Ｂ  上部蓋部
１０Ｃ  下部容器部
１０Ｄ  下部蓋部
【図１】
0003110742.tif 000003
【図２】
0003110742.tif 000004
【図３】
0003110742.tif 000005
【図４】
0003110742.tif 000006
【図５】
0003110742.tif 000007